(57)【特許請求の範囲】
【請求項１】
筐体内部にロールペーパータオルを支持する支持機構と、このロールペーパータオルからペーパータオルを巻き出して排紙するための排紙手段と、検知範囲に被検知物が進入したときに検知範囲内の被検知物を検知する１又は複数のセンサーと、前記センサーによる被検知物の検知に応じて前記排紙手段を駆動させて所定長さのペーパータオルの排紙を行なわせる制御手段とを有し、
前記センサーが、ディスペンサーの下部かつ幅方向側部に、そのセンサーの検知範囲の中心軸が、ディスペンサーの幅方向の中心に向かうようにしてかつディスペンサーの背面側方向に向かうようにして、取り付けられ、その検知範囲が、正面視において、ディスペンサーの幅方向中央から下方５ｃｍの位置から、幅方向に各５ｃｍ、下方に２０ｃｍの範囲を含む、ことを特徴とするロールペーパータオル用ディスペンサー。
【請求項２】
センサーをディスペンサーの前端から奥行き方向に１５ｃｍ以内の部位に設けた請求項１記載のロールペーパータオル用ディスペンサー。
【請求項３】
センサーによる検知範囲が、ディスペンサーの前端から下方に垂下する仮想面及びディスペンサーの両側端から下方に垂下する仮想面で囲まれる範囲にある請求項１又は２に記載のロールペーパータオル用ディスペンサー。
【請求項４】
センサーが、高さ方向及び奥行き方向において、支持機構に支持されたロールペーパーを避ける位置に設けられている請求項１〜３の何れか１項に記載のロールペーパータオル用ディスペンサー。
【発明の詳細な説明】
【技術分野】
【０００１】
本発明は、帯状のペーパータオルをロール状に巻取ったロールペーパータオル用のディスペンサーに関し、特に、所定長さのペーパータオルを自動的に巻き出して排紙するロールペーパータオル用ディスペンサーに関する。
【背景技術】
【０００２】
ロールペーパータオル用ディスペンサーは、筐体内部に回動自在に支持したロールペーパーからペーパータオルを巻き出し、筐体下部等に設けた排紙口から適宜必要な長さのペーパータオルを露出させて裁断可能にするものである。
【０００３】
この種のペーパータオル用ディスペンサーは、化粧室の洗面台近傍、キッチン等の水回り近傍の壁面などに比較的狭い場所に設置されることが多く、設置場所の観点からコンパクトであることが望まれる。
【０００４】
他方、ロールペーパータオル用ディスペンサーにおいては、例えば、下記特許文献１等に示されるように、使用者等をセンサーにより検知して、この検知信号に応じて筐体内部のロールペーパータオルを回転させ、排出口から自動的に適宜長のペーパータオルを排紙する自動排紙タイプのものが知られる（この種の自動排紙するロールペーパータオル用ディスペンサーは、オートディスペンサー、ハンズフリーディスペンサーなどとも称される）。
【０００５】
この自動排紙タイプのディスペンサーは、予め設定した長さのペーパータオルのみが排紙口から露出されるため、使用者が手動でペーパータオルを過度に引き出すことがなく、内部に保持されたロールペーパータオルの持ちがよく、取り代え頻度が少なくてすむというメリットがあるが、自動排紙タイプのディスペンサーは、排紙のためのセンサー、ロールペーパーの駆動機構、電源回路等が筐体内部に納められるためコンパクト化が困難という問題がある。
【０００６】
特に、従来の自動排紙タイプのディスペンサーでは、排紙機構を作動させるためのセンサーがディスペンサー下部であって幅方向の中央に設けられている。
【０００７】
このようにセンサーを中央に設置する理由は、人には利き手があるが、一つのセンサーでかかる利き手に関わらず、右利き、左利きの人に対応すべく、検知範囲を左右対称となるようにしていたという理由がある。
【０００８】
他方、中央部にセンサーが設けられている場合には、センサーによる検知が不十分となることがあった。この理由を図５に従来のディスペンサーＸ２の正面視を示して説明する。一般的にセンサーによる検知範囲は、センサー５０から放射的に円錐状に広がる。
【０００９】
この種のディスペンサーでは、人が近寄っただけで動作するなどの誤動作がないように、センサーの検知範囲をディスペンサーの下方投影範囲に限定するのが一般的である。そして、ディスペンサーは、ロールペーパーの形状、望まれる設置態様からして、幅方向に対して奥行き方向が短い。特にコンパクト化する場合には、この傾向が顕著となる。このような制約があるため、センサー５０をディスペンサーＸ２の幅方向中央に設けた場合には、検知範囲を広げようとすると、すなわち図５においてθを大きくすると、ディスペンサーの下方投影範囲からはみ出しやすく（はみ出した範囲を図中Ｚ３で示している）、誤動作しやすいものとなるか、ディスペンサー下面から遠い位置での検知が不十分となる。反対に、θを小さくするとディスペンサーの検知範囲が狭くなり、特にディスペンサーの下面に近い位置の検出範囲が十分なものではなくなる。
【００１０】
より具体的に説明すると、この種のディスペンサーは、使用者がペーパーを掴みやすいように、一般に床面などの設置基準面Ｇから高さＬ１が１００〜１５０ｃｍとなるように設けられる。そして、このような設置態様のもと、ディスペンサーの使用者はペーパーの排紙をさせるべくセンサー５０によって検知されるように通常は、ディスペンサーの正面に立ち、片手或いは両手をディスペンサー下方に手をかざす動作を行なう。
【００１１】
出願人の調査によれば、この自動排紙のディスペンサーの一般的設置態様、使用態様のもとにおいて、被験者の多くが手をかざす位置は、ディスペンサーの下方であって、かつ正面視においてディスペンサーの幅方向中央から下方５ｃｍの位置から、幅方向に各５ｃｍ、下方に２０ｃｍの範囲（符号Ｚ１で示す範囲）であるが、加えて、両手をかざす場合には、かかる動作を行なう際に使用者がディスペンサーの正面に立つことが多いことから、ディスペンサーの幅方向の中央より左右方向にずれた位置（符号Ｚ２の位置）に手をかざすことがある。また、片手で行なう場合には利き手側にオフセットされた位置（Ｚ２の何れか一方）に手をかざすことがある。
【００１２】
従来の中央にセンサー５０を設けたディスペンサーＸ２では、このような使用者の動作に鑑みた十分な検知範囲Ｚ１及びＺ２をカバーすることが困難であった。
【００１３】
他方、この種のディスペンサーは、電源を必要とし、その電源として家庭用電源を使用する場合もあるものの、多くは電池式であることが多い。一般的には、単一電池を４本内蔵する電池式である。このような電池式では、ディスペンサーの外観、重心、電池交換の必要性を考慮すると、電池の格納ソケットを筐体下部前面近傍に位置せしめるのが望ましい。しかし、従来ディスペンサーでは、この位置にセンサーがあるため他の場所に電池格納位置を確保する必要がありディスペンサーのコンパクト化を妨げる要因となっている。
【先行技術文献】
【特許文献】
【００１４】
【特許文献１】特表２００８−５２１５４９
【特許文献２】特開平０９−２１５６２８
【特許文献３】特開２００６−０６８３４５
【特許文献４】特開２００７−２２２３７２
【特許文献５】特開２００２−１０２１０５
【特許文献６】特開２０１０−０６８９７２
【特許文献７】特開２００７−１９０２９２
【発明の概要】
【発明が解決しようとする課題】
【００１５】
そこで、本発明の主たる課題は、自動排紙タイプのロールペーパータオル用ディスペンサーにおいて、センサー位置を改良し、より一層のコンパクト化と確実な動作を図ることにある。
【課題を解決するための手段】
【００１６】
上記課題を解決した本発明は次記のとおりである。
＜請求項１記載の発明＞
筐体内部にロールペーパータオルを支持する支持機構と、このロールペーパータオルからペーパータオルを巻き出して排紙するための排紙手段と、検知範囲に被検知物が進入したときに検知範囲内の被検知物を検知する１又は複数のセンサーと、前記センサーによる被検知物の検知に応じて前記排紙手段を駆動させて所定長さのペーパータオルの排紙を行なわせる制御手段とを有し、
前記センサーが、ディスペンサーの下部かつ幅方向側部に、そのセンサーの検知範囲の中心軸が、ディスペンサーの幅方向の中心に向かうようにしてかつディスペンサーの背面側方向に向かうようにして、取り付けられ、その検知範囲が、正面視において、ディスペンサーの幅方向中央から下方５ｃｍの位置から、幅方向に各５ｃｍ、下方に２０ｃｍの範囲を含む、ことを特徴とするロールペーパータオル用ディスペンサー。
【００１７】
＜請求項２記載の発明＞
センサーをディスペンサーの前端から奥行き方向に１５ｃｍ以内の部位に設けた請求項１記載のロールペーパータオル用ディスペンサー。
【００１８】
＜請求項３記載の発明＞
センサーによる検知範囲が、ディスペンサーの前端から下方に垂下する仮想面及びディスペンサーの両側端から下方に垂下する仮想面で囲まれる範囲にある請求項１又は２に記載のロールペーパータオル用ディスペンサー。
【００１９】
＜請求項４記載の発明＞
センサーが、高さ方向及び奥行き方向において、支持機構に支持されたロールペーパーを避ける位置に設けられている請求項１〜３の何れか１項に記載のロールペーパータオル用ディスペンサー。
【００２０】
【００２１】
【００２２】
【００２３】
【発明の効果】
【００２４】
以上の本発明によれば、自動タイプのペーパータオルディスペンサーにおいて、より一層のコンパクト化、検知範囲の広範囲化を達成することができる。
【図面の簡単な説明】
【００２５】
【図１】本発明のロールペーパータオル用ディスペンサーの正面図である。
【図２】本発明のロールペーパータオル用ディスペンサーの側面図である。
【図３】本発明のロールペーパータオル用ディスペンサーの支持機構及び排紙機構を説明するための図である。
【図４】本発明のロールペーパータオル用ディスペンサーのセンサーによる検知範囲を説明するための図である。
【図５】従来のディスペンサーのロールペーパータオル用ディスペンサーを説明するための図である。
【発明を実施するための形態】
【００２６】
次いで、本発明の実施の形態を図１〜５を参照しながら以下に詳述する。
本形態の自動排紙タイプのロールペーパー用ディスペンサーＸ１（以下、単にディスペンサーＸ１ともいう）は、手や顔などの肌の清拭や食材のドリップや水分等の拭き取りに用いられる長尺帯状のペーパータオル２０を紙管に巻き付けてロール状としたロールペーパータオル用のディスペンサーＸ１である。
【００２７】
本形態のディスペンサーＸ１は、その素材が例えばＡＢＳ樹脂等の合成樹脂、或いは金属素材である筐体１の内部に、ロールペーパータオル（以下、単にロールペーパーともいう）２を回動自在に支持する支持機構と、ロールペーパー２から巻き出されたロールペーパータオルの自由先端部分であるペーパータオル２０をニップした状態で回転する排紙ローラ４と、検知範囲内の被検知物を検知するセンサー５と、前記センサー５による被検知物の検知に応じて前記排紙手段を駆動させて所定長さのペーパータオルの排紙を行なわせる制御手段と、前記排紙ローラ４を駆動させるモーターなどの電力駆動原とが配置されており、前記センサー５による被検知物（例えば、使用者の手）を検知して、電力駆動原が作動し、もって排紙ローラ４が駆動され、前記筐体１の下部に配置された排紙口６から、適宜長さのペーパータオル２０を筐体１外に自動的に露出させる。
【００２８】
『筐体の構造例』
前記筐体１は、前面開放のケース本体１０と、ケース本体１０の前面開放部分を被覆する蓋体１１とで構成され、その下部に前記支持機構に支持されたロールペーパー２から巻き出されたペーパータオル２０を筐体外部に露出させる排紙口６を有する。
【００２９】
ケース本体１０は、天板部１２と底板部１３と背板部１４とこの背板部１４の両側縁若しくは両側縁部から手前に延在する左右一対の本体側板部１７，１７とで構成され、前記背板部１４を介して壁面等に設置される。
【００３０】
図示の蓋体１１は、上部がケース本体１０の天板部１２と一連となるような湾曲面部分を有する前板部１６と、この前板部１６と直角をなして奥側（背板側）に延在する左右一対の蓋体側板部１５，１５とを有し、ケース本体１０の正面側開放部分を被覆すように配置され、前記ケース本体１０とともに箱型の筺体１を構成する。
【００３１】
また、図示の蓋体１１は、ケース本体１０に対してハッチ式に取付けられ、引き下げることにより、ケース本体１０を前面開放状態にし、筺体内部の支持機構や排紙ローラ４等の内部機構を露出させ、ロールペーパー２の交換を可能とする。
【００３２】
このようなハッチ式にするにあたっては、蝶番機構１８をケース本体１０の底板部１３の正面側縁と蓋体１１の前板部１６の下縁に設けるようにすればよい。ケース本体１０の天板部１２の正面側縁と蓋体１１の前板部１６の背面側上縁に蝶番機構１８を設けて前面を跳ね上げるようにするハッチ式としてもよい。さらには、各本体側板部の上部或いは下部に一対の係止凸部（図示しない）を設け、各蓋体側板部の上部或いは下部に前記係止凸部に対応する一対の係止嵌合孔（図示しない）を設けて、これらを嵌め込むようにして、ケース本体１０と蓋体１１とを連結するようにしてもよい。この場合、係止凸部と係止嵌合孔とは対をなせばよく、そのどちらがケース本体側であるかは問わない。
【００３３】
他方、筐体下部の排紙口６は、ケース本体１０の底板部１３に形成することができ、図示例では、ケース本体１０の底板部１３の正面側が天板部１２側に向かって傾斜され、その傾斜部分に幅方向細長の排紙口６が形成され、使用者におけるペーパータオルの取り出しを容易なものとしている。
【００３４】
また、図示例では、排紙口６から露出されたペーパータオルの切り取りを容易にすべく、排紙口６に一部かかるようにカッター刃６１が取付けられている。図示例ではカッター刃は、鋸刃とされている。なお、このカッター刃は、金属或いは硬質可塑性樹脂などにより形成することができる。また、ロールぺーパーを構成する長尺のペーパータオルに長手方向の適当間隔に裁断を容易にするための裁断用ミシン目線などを設ければ、かかるカッター刃は不要とすることができる。
【００３５】
『支持機構例』
筐体１内に収納される支持機構は、既知の構成を採ることができる。図示の形態では、前記背板部１４の両側板近傍からそれぞれ前板側（壁面取付け時における手前側）に向かって所定長さ延出する一対の腕部３１，３１を有し、その腕部３１，３１の先端に支持部３２，３２が取付けられている。なお、図示例に限らず腕部３１，３１は、側板部１７から水平方向に突出するように延出している態様であってもよいし、天板部１２から垂下するような態様であってもよいし、底板部１３から天板部１２に向かって起立するものであってもよい。腕部３１，３１は、本発明の効果を妨げない範囲で支持部３２を所定位置に位置せしめるものであれば、その具体的な態様は限定されない。
【００３６】
図示の支持部３２，３２は、通常状態において筐体内側部において水平方向内側に向かって突出しており、この前記支持部３２，３２が前記通常状態に付勢された状態でその基端部を軸として奥側に向かって倒れるように構成されている。
【００３７】
前記一対の支持部３２，３２の先端３２ｔ，３２ｔ間は、ロールペーパー７の紙管２１の長さ（幅）未満の距離とされ、その先端３２ｔ，３２ｔ部分が奥側に倒れたときに支持部の先端３２ｔ，３２ｔ間がロールペーパー２の幅よりも広くその間隔が開く。ロールペーパー取付け時には、手前から奥に向かって支持部３２，３２間にロールペーパー２を挿入し、さらに倒れた支持部３２の先端３２ｔが紙管内に位置するまで奥側へ押し込む。支持部先端３２ｔ，３２ｔが紙管内に到着すると支持部３２，３２が通常状態位置への付勢によって戻り、支持部先端３２ｔ，３２ｔが紙管２１内に位置してロールペーパー２が支持機構により支持される。
【００３８】
なお、支持機構としては、支持部３２，３２が前記通常状態に付勢された状態でその基端部を軸として先端３２ｔ，３２ｔが円弧軌道を描きつつ上方に跳ね上げ可能に構成されているものも例示できる。
【００３９】
『排紙機構』
他方、本発明のディスペンサーＸ１は、既知の排紙機構が採用できる。図示の形態では、前記ロールペーパー２を支持機構に取付けたときの軸心と平行な軸心を有する棒状の回転軸４１の外周の適宜の位置にゴムロール部４２が設けられた排紙ローラと、これと対となるニップ手段４３とが支持機構の下方（底板側）に設けられており、これら排紙ローラとニップ手段により前記ロールペーパー２から巻き出されたペーパータオル２０とを挟持するように構成され、前記排紙ローラ４が回転軸４１を介して駆動源により回転する。
【００４０】
すなわち、排紙ローラ４とニップロール４３とがペーパータオル２０をニップした状態にて前記モーター手段等によって回転軸４１が回転されることで、ペーパータオル２０を排紙口６から露出させられるように構成されている。
【００４１】
なお、排紙ローラ及びニップローラの両端支持部は図示を省略している。かかる両端支持部は公知の支持機構を採用できる。前記ニップ手段４３としては、前記ゴムロール部４１と対になるニップロール或いは、排紙ローラ４に前記ペーパータオルを押し当てるように筐体の前板等に取付けた押えバネなどの押え手段が例示できる（この形態は、図示はしない）。
【００４２】
また、モーター手段の軸と前記回転軸とが同軸である必要はなく、ギア、無端ベルト、プーリーなどの既知に機構を適宜介在させて前記回転軸４１を回転させてもよい。前記モーター手段の駆動及び停止は、後述するセンサーにより検知された信号に応じて行なわれる。
【００４３】
『センサー及び制御手段』
本発明にかかるセンサー５は、センサー５を頂点として円錐状に検知範囲５Ｓが所定の放射角で広がるものであり、かかるセンサー５自体は、既知のものから適宜選択して採用することができる。また、センサー５の仕組みについても限定されない。具体例としては、赤外線を照射する照射部と照射部から照射された赤外線によって構成されるセンサー検知範囲に被検知物が進入したことを検知する受信部とを有するＩＲセンサーが例示できる。
【００４４】
かかるセンサー５を後述する位置に設け、当該センサー５の検知範囲５Ｓに使用者の手等の被検知物が進入されたときに、前記センサー５がこれを検知し、この検知信号を制御手段に送信し、制御手段を介して前記排紙機構のモーター手段等の排出ローラ４の駆動原を所定時間駆動させる。これにより駆動原の駆動時間に応じた前記排紙ローラ４の回転分だけ、排紙口６からペーパータオル２０が露出させる。センサー５で検知した検知信号に応じてモーター手段等の駆動原の駆動を制御する制御手段は、特に限定されるものではなく、適宜の電気回路により構成できる。
【００４５】
『センサーの取付け位置』
本発明のディスペンサーＸ１では、上記センサー５の取付け位置が、筐体１の下部であって筐体１の幅方向側部に位置されている。このように筐体側部に設けることで、後述するセンサー検知範囲５Ｓを好適に形成することができ、ディスペンサーＸ１の小型化と、使用者の動作に鑑みた検知範囲５Ｓとを可能とする。しかも意図しない物の検知を行なわないこととする検知範囲５Ｓとすることができる。ここで、より好ましくは、前記センサーは、筐体側部から少なくとも１ｃｍ以上離間した位置（図中、符号Ｌ３で示す）、筐体１の幅方向中央Ｃから側面側に１〜１５ｃｍ以内（図中、符号Ｌ２で示す）の範囲であって、かつディスペンサーＸ１の前端から奥行き方向（背面側方向）に１５ｃｍ以内（図中、符号Ｌ４で示す）の部位、特に５〜１５ｃｍの範囲に設け、その上で、特にセンサー５を設けた筐体側部と反対の筐体側部に向かうようにセンサーを方向付け、センサー５からの検知範囲５Ｓの中心軸がディスペンサーの幅方向の中心かつ下方に向かうようにして取り付ける。かかる取り付け態様においては、前記中心軸は、筐体内部に位置されているロールペーパー２の軸心方向と平行をなすようにしてもよいし、ディスペンサーの背面側方向に向かうように取り付けてもよい。また、ディスペンサーの前面側方向に向かうようにしてもよい。但し、前記中心軸は、筐体内部に位置されているロールペーパー２の軸心方向と平行をなすようにするか、ディスペンサーの背面側方向に向かうようにしたほうが、検知範囲がディスペンサーの前面よりも前方に位置しがたくなり、誤動作がし難くなる。
【００４６】
上記のセンサー５の取付け位置とすることにより、センサー５の検知範囲５Ｓを使用者の動作に鑑みた好適な範囲Ｚ１及びＺ２とすることができるようになる。
【００４７】
また、前記センサー５が、筐体内部において支持部に支持されたロールペーパー２と高さ方向及び奥行き方向に避ける位置、すなわち筐体内部において支持部に支持されたロールペーパー２と高さ方向及び奥行き方向において重ならない位置に設けられているのが望ましい。コンパクト化を達成しやすくなる。
【００４８】
また、自動排紙のディスペンサーＸ１では、従来技術の欄でも説明したとおり、電源として電池を使用することがある。本発明のディスペンサーＸ１では、センサー５を筐体側部に位置せしめたため、筐体中央部に電池格納場所を確保することができる。そして、電池はディスペンサーＸ１を構成する部品のなかでも重量のある部品であるため、筐体１の中央部に電池を納めることが可能となるとディスペンサーの重心が安定する。また、電池交換もし易い位置である。さらに、支持されたロールペーパーの下部においてディスペンサーの幅方向に沿って電池を直列に置くこともできるようになり、この場合、ディスペンサーの厚さ（奥行き方向の長さ）を薄くでき、コンパクト化を図ることができる。
【００４９】
『センサーの検知範囲』
本発明のディスペンサーＸ１のセンサー５の検知範囲５Ｓは、少なくともディスペンサーＸ１（筐体１）の幅方向中央から下方５ｃｍの位置から、幅方向に各５ｃｍ、下方に２０ｃｍの範囲Ｚ１を含むようにするのが望ましく、この範囲を十分にカバーできる。そして、上記のとおりセンサー５の検知範囲５Ｓはセンサー５を中心として放射的に円錐状となるが、本発明のセンサー５の位置では、中央部にセンサーを設けた場合と比較して、ディスペンサー下部の上記好適な範囲までの距離がセンサーから遠くなるため円錐状の裾の広がった部分で広くカバーできるようになり、もって十分な検知範囲を確保することができる。また、検知範囲５Ｓが狭くなるセンサー近傍は筐体側部という使用者が手をかざし難い位置になるため検知が不十分になることがない。さらに、かかる範囲Ｚ１からディスペンサーの幅方向の左右方向にオフセットした位置（符号Ｚ２の位置）も従来ディスペンサーよりもカバーし易くなる。
【００５０】
ここで、上記範囲を十分なものとならしめるには、ディスペンサーＸ１の大きさを考慮して、センサー５からの検知範囲の放射角θを３０〜９０°、さらにセンサーの中心軸Ａ１（検知範囲が円錐状となる場合にはその垂軸）とディスペンサーＸ１の幅方向中央を通る基準床面への垂面Ａ２との正面視における交点Ｐが前記センサー５から１００〜２００ｍｍの距離Ｌ５にあるように調整する。
【００５１】
なお、センサー５による検知範囲５Ｓが、ディスペンサーＸ１の前端から下方に垂下する仮想面及びディスペンサーの両側端から下方に垂下する仮想面で囲まれる範囲にあるのが望ましい。例えば、仮想面を超えて更に下方に垂下した場合、足等の部分にてセンサーが反応し、シートが繰り出されることもありうる。すなわち、ディスペンサーＸ１の下方投影範囲を超えないようにするのが望ましい。かかる範囲を超えると誤動作の原因となることがある。本発明では、かかる範囲に納めるに既知の方法によりセンサー出力を適宜調整することにより簡易に達成することができる。
【００５２】
ここで、本発明のディスペンサーではセンサー５は一つに限らない、複数あってもよい。例えば、ディスペンサーの側部左右にそれぞれ設けてもよい。一つだけ設けるのであれば、使用者の利き手側に設けるのがよい。例えば使用者の多くが右利きであれば、ディスペンサーに向かって右側に設けるのが望ましい。また、この場合両者の検知範囲は重ならないようにすることができる。
【００５３】
以上の本発明にかかる自動排紙のディスペンサーでは、センサーをディスペンサーの所定の位置に設けたことにより、検知範囲を広くでき、しかもディスペンサーのコンパクト化を達成することができる。
【符号の説明】
【００５４】
Ｘ１，Ｘ２…ロールペーパータオル用ディスペンサー、１…筐体、２…ロールペーパータオル、２０…ペーパータオル、４…排紙ローラ、５…センサー、５Ｓ…検知範囲、６…排紙口、１０…ケース本体、１１…蓋体、１２…天板部、１３…底板部、１４…背板部、１５…本体側板部、１６…前板部、１７…蓋体側板部、１８…蝶番機構、６１…カッター刃、３１…腕部、３２…支持部、３２ｔ…支持部先端、２１…紙管、４１…回転軸、４２…ゴムロール部、４３…ニップ手段（ニップローラ）、Ｚ１…好ましい検知範囲、Ｐ…交点、Ｌ１…基準床面からディスペンサー下面までの距離、Ｌ２…ディスペンサーの幅方向中央からセンサーの取り付け位置までの距離、Ｌ３…ディスペンサーの幅方向側面からセンサーの取り付け位置までの距離、Ｌ４…ディスペンサーの前面からセンサー取り付け位置までの距離、Ｌ５…センサーから交点Ｐまでの距離。
【図１】
0005769433.tif 000002
【図２】
0005769433.tif 000003
【図３】
0005769433.tif 000004
【図４】
0005769433.tif 000005
【図５】
0005769433.tif 000006